(57)【要約】【課題】バックライトから出力される光を効率よく利用する表示装置及び電子機器を提供する。【解決手段】光を通過させる開口部が、第１の方向に伸びた複数の第１の線分と、第１の方向と交差する第２の方向に伸びた複数の第２の線分とが交差し、格子状に配置された非開口部によって分割された開口部がマトリクス状に配置された画素となる表示エリア部を含む。表示エリア部は、画素の開口部に対応して色フィルタが配置されたカラーフィルタと、カラーフィルタに積層され、表示エリア部の表面から見た場合、非開口部に重なる位置に金属膜が配置された複数の金属層と、を有する。複数の金属層は、複数の金属層の中で、第１の線分と重なる領域において最も面積が大きい金属膜と、第２の線分と重なる領域において最も面積が大きい金属膜とが同一である。また、面積が最も大きい金属膜が最も反射率が高い金属膜で形成されている。【選択図】図４
2014106428.tif 000002
【特許請求の範囲】
【請求項１】
光を通過させる開口部が、第１の方向に伸びた複数の第１の線分と、前記第１の方向と交差する第２の方向に伸びた複数の第２の線分とが交差し、格子状に配置された非開口部によって分割され、前記非開口部によってマトリックス状に分割された開口部がマトリクス状に配置された画素となる表示エリア部と、走査線に垂直走査パルスを印加して前記表示エリア部の各画素を行単位で選択する垂直駆動回路と、前記垂直駆動回路によって選択された行の各画素に対して画像信号を供給する水平駆動回路と、を含み、
前記表示エリア部は、前記画素の開口部に対応して色フィルタが配置されたカラーフィルタと、
前記カラーフィルタに積層され、前記表示エリア部の表面から見た場合、前記非開口部に重なる位置に金属膜が配置された複数の金属層と、を有し、
前記複数の金属層は、前記複数の金属層の中で、前記第１の線分と重なる領域において最も面積が大きい金属膜と、前記第２の線分と重なる領域において最も面積が大きい金属膜とが同一であり、
前記第１の線分と重なる領域において最も面積が大きく、前記第２の線分と重なる領域において最も面積が大きい金属膜が、前記複数の金属層の中で最も反射率が高い金属膜で形成されている表示装置。
【請求項２】
前記カラーフィルタは、格子状に配置されたブラックマトリクスを備え、
前記ブラックマトリクスが配置されている領域が前記非開口部となる請求項１に記載の表示装置。
【請求項３】
前記複数の金属層は、前記垂直駆動回路と接続され、第１の線分に沿って配置される第１配線を含む第１配線層と、前記水平直駆動回路と接続され、第２の線分に沿って配置される第２配線を含む第２配線層と、を含む請求項１または２に記載の表示装置。
【請求項４】
前記複数の金属層は、前記第１配線層及び前記第２配線層とは異なる層である反射層を含み、
前記反射層は、前記複数の金属層の中で、前記第１の線分と重なる領域において最も面積が大きく、前記第２の線分と重なる領域において最も面積が大きい請求項３に記載の表示装置。
【請求項５】
光が入射される側の端部に配置された透明基板をさらに有し、
前記反射層は、前記透明基板の前記カラーフィルタ側の面と接している請求項４に記載の表示装置。
【請求項６】
透明電極で形成された共通電極をさらに有し、
前記反射層は、前記共通電極と接している請求項４に記載の表示装置。
【請求項７】
前記反射層は、前記カラーフィルタと接している請求項４に記載の表示装置。
【請求項８】
前記反射層は、前記第１の線分と前記第２の線分との交点に隙間が形成されている請求項４から７のいずれか一項に記載の表示装置。
【請求項９】
請求項１から８のいずれか一項に記載の表示装置と、
前記表示装置に前記入力信号を供給する制御装置と、を有する電子機器。
【発明の詳細な説明】
【技術分野】
【０００１】
本技術は、液晶を備える表示装置に関する。また、本技術は、液晶を備える表示装置を備えた電子機器に関する。
【背景技術】
【０００２】
近年、携帯電話や電子ペーパーなどのモバイル機器向けの表示装置の需要が高くなっている。このような表示装置は、画素がマトリクス状に配置されている表示エリア部と、表示エリア部の各画素を行単位で選択する垂直駆動回路と、垂直駆動回路によって選択された行の各画素に対して画像信号を供給する水平駆動回路とを備えている。
【０００３】
表示装置は、垂直駆動回路や水平駆動回路と接続する配線が表示エリア部に配置されている。表示装置は、これらの配線をカラーフィルタに格子状に形成されたブラックマトリクスに重ねて配置することで、配線が表示面から見えないようにすることができる。
【０００４】
また、特許文献１に記載の技術では、透明な基板上にソース、ドレインおよびゲートの各電極と、有機半導体層および絶縁層を、実質透明な材料により所望の構造にて配設した薄膜トランジスタおよび該トランジスタと電気的接点を有する実質透明な導電性材料によって構成した配線を有する表示装置が記載されている。
【先行技術文献】
【特許文献】
【０００５】
【特許文献１】特開２００４−１４９８２号公報
【発明の概要】
【発明が解決しようとする課題】
【０００６】
近年、表示装置は、高精細化が要望されている。表示装置は、高精細化すると、画素が増加するため、配線が増加し、配線を配置するためのスペースが増える。このため、表示パネル上における配線の占有率が増え、光を透過する範囲である開口の割合、つまり開口率が小さくなっていく。表示装置は、開口率が小さくなると、光源から出射される光の量に対して、表示パネルを通過できる光の量が少なくなる。
【０００７】
これに対して特許文献１に記載の表示装置は、各電極をＩＴＯ等の透明電極で作成することで、配線を見えない状態とし、開口率を高くしている。しかしながら、カラーフィルタにブラックマトリクスを設けた構成では、ブラックマトリクスによって開口率が制限されるため、全ての電極を透明電極としても開口率の向上に限界がある。
【０００８】
本技術はかかる問題点に鑑みてなされたもので、その目的は、バックライトから出力される光を効率よく利用することができる表示装置及び表示装置を備えた電子機器を提供することにある。
【課題を解決するための手段】
【０００９】
本開示による表示装置は、画素がマトリクス状に配置されている表示エリア部と、走査線に垂直走査パルスを印加して前記表示エリア部の各画素を行単位で選択する垂直駆動回路と、前記垂直駆動回路によって選択された行の各画素に対して画像信号を供給する水平駆動回路と、を含み、前記表示エリア部は、第１の方向に伸びた複数の第１の線分と、前記第１の方向と交差する第２の方向に伸びた複数の第２の線分とが交差し、格子状に配置されたブラックマトリクスを備えるカラーフィルタと、前記カラーフィルタに積層され、前記表示エリア部の表面から見た場合、前記ブラックマトリクスに重なる位置に金属膜が配置された複数の金属層と、を有し、前記複数の金属層は、前記複数の金属層の中で、前記第１の線分と重なる領域において最も面積が大きい金属膜と、前記第２の線分と重なる領域において最も面積が大きい金属膜とが同一である。
【００１０】
本開示による電子機器は、上記に記載の表示装置と、前記表示装置に前記入力信号を供給する制御装置と、を有する。
【００１１】
本開示による表示装置及び電子機器では、バックライトから出力される光を効率よく利用することができる。
【発明の効果】
【００１２】
本開示による表示装置及び電子機器によれば、面積が最も大きい金属膜の反射率を他の金属膜よりも高くすることで、バックライトから出力される光を効率よく利用することができる。
【図面の簡単な説明】
【００１３】
【図１】図１は、本実施形態に係る表示装置の構成の一例を表す説明図である。
【図２】図２は、図１の表示装置のシステム構成例を表すブロック図である。
【図３】図３は、画素を駆動する駆動回路の一例を示す回路図である。
【図４】図４は、本実施形態に係る表示装置の回路パターンの概略構成を示す正面図である。
【図５】図５は、図４のＡ−Ａ線断面図である。
【図６】図６は、表示装置の機能の一例を表す説明図である。
【図７】図７は、表示装置の回路パターンの変形例を示す断面図である。
【図８】図８は、表示装置の回路パターンの変形例を示す断面図である。
【図９】図９は、表示装置の回路パターンの変形例の概略構成を示す正面図である。
【図１０】図１０は、表示装置の回路パターンの変形例の概略構成を示す正面図である。
【図１１】図１１は、表示装置のカラーフィルタの変形例の概略構成を示す正面図である。
【図１２】図１２は、表示装置のカラーフィルタの変形例の概略構成を示す正面図である。
【図１３】図１３は、本実施形態に係る表示装置を適用する電子機器の一例を示す図である。
【図１４】図１４は、本実施形態に係る表示装置を適用する電子機器の一例を示す図である。
【図１５】図１５は、本実施形態に係る表示装置を適用する電子機器の一例を示す図である。
【図１６】図１６は、本実施形態に係る表示装置を適用する電子機器の一例を示す図である。
【図１７】図１７は、本実施形態に係る表示装置を適用する電子機器の一例を示す図である。
【図１８】図１８は、本実施形態に係る表示装置を適用する電子機器の一例を示す図である。
【図１９】図１９は、本実施形態に係る表示装置を適用する電子機器の一例を示す図である。
【図２０】図２０は、本実施形態に係る表示装置を適用する電子機器の一例を示す図である。
【図２１】図２１は、本実施形態に係る表示装置を適用する電子機器の一例を示す図である。
【図２２】図２２は、本実施形態に係る表示装置を適用する電子機器の一例を示す図である。
【図２３】図２３は、本実施形態に係る表示装置を適用する電子機器の一例を示す図である。
【図２４】図２４は、本実施形態に係る表示装置を適用する電子機器の一例を示す図である。
【発明を実施するための形態】
【００１４】
本開示を実施するための形態（実施形態）につき、図面を参照しつつ詳細に説明する。以下の実施形態に記載した内容により本開示が限定されるものではない。また、以下に記載した構成要素には、当業者が容易に想定できるもの、実質的に同一のものが含まれる。さらに、以下に記載した構成要素は適宜組み合わせることが可能である。なお、説明は以下の順序で行う。
１．実施の形態（表示装置）
２．適用例（電子機器）
上記実施の形態に係る表示装置が電子機器に適用されている例
【００１５】
＜１．実施形態（表示装置）＞
[構成]
図１は、本実施形態に係る表示装置の構成の一例を表す説明図である。図２は、図１の表示装置のシステム構成例を表すブロック図である。図１は模式的に表したものであり、実際の寸法、形状と同一とは限らない。なお、表示装置１が本開示の「表示装置」の一具体例に相当する。
【００１６】
表示装置１は、透過型、または半透過型の液晶表示装置であり、表示パネル２と、ドライバＩＣ３と、バックライト６と、を備えている。図示しないフレキシブルプリント基板（ＦＰＣ（Flexible  Printed  Circuits））は、ドライバＩＣ３への外部信号またはドライバＩＣ３を駆動する駆動電力を伝送する。表示パネル２は、透明絶縁基板、例えばガラス基板１１と、ガラス基板１１の表面にあり、液晶セルを含む画素がマトリクス状（行列状）に多数配置されてなる表示エリア部２１と、水平ドライバ（水平駆動回路）２３と、垂直ドライバ（垂直駆動回路）２２Ａ、２２Ｂと、を備えている。垂直ドライバ（垂直駆動回路）２２Ａ、２２Ｂは、第１垂直ドライバ２２Ａ、第２垂直ドライバ２２Ｂとして、表示エリア部２１を挟むように配置されている。ガラス基板１１は、能動素子（例えば、トランジスタ）を含む多数の画素回路がマトリクス状に配置形成される第１の基板と、この第１の基板と所定の間隙をもって対向して配置される第２の基板とによって構成される。そして、これら第１の基板、第２の基板間に液晶が封入される。
【００１７】
表示パネル２の額縁１１ｇｒ、１１ｇｌは、ガラス基板１１の表面にあり、液晶セルを含む画素がマトリクス状（行列状）に多数配置されてなる表示エリア部２１がない、非表示領域である。垂直ドライバ２２Ａ、２２Ｂは、額縁１１ｇｒ、１１ｇｌに配置されている。
【００１８】
バックライト６は、表示パネル２の裏面側（画像を表示する面とは反対側の面）に配置されている。バックライト６は、表示パネル２に向けて光を照射し、表示エリア部２１の全面に光を入射させる。バックライト６は、例えば光源と、光源から出力された光を導いて、表示パネル２の裏面に向けて出射させる導光版と、を含む。
【００１９】
（表示装置のシステム構成例）
表示パネル２は、ガラス基板１１上に、表示エリア部２１と、インターフェース（Ｉ／Ｆ）及びタイミングジェネレータの機能を備えるドライバＩＣ３と、第１垂直ドライバ２２Ａ、第２垂直ドライバ２２Ｂ及び水平ドライバ２３とを備えている。
【００２０】
表示エリア部２１は、液晶層を含む画素Ｖｐｉｘが、表示上の１画素を構成するユニットがｍ行×ｎ列に配置されたマトリクス（行列状）構造を有している。なお、この明細書において、行とは、一方向に配列されるｎ個の画素Ｖｐｉｘを有する画素行をいう。また、列とは、行が配列される方向と直交する方向に配列されるｍ個の画素Ｖｐｉｘを有する画素列をいう。そして、ｍとｎとの値は、垂直方向の表示解像度と水平方向の表示解像度に応じて定まる。表示エリア部２１は、画素Ｖｐｉｘのｍ行ｎ列の配列に対して行ごとに走査線２４１、２４２、２４３・・・２４ｍが配線され、列ごとに信号線２５１、２５２、２５３・・・２５ｎが配線されている。以後、本実施形態においては、走査線２４１、２４２、２４３・・・２４ｍを代表して走査線２４のように表記し、信号線２５１、２５２、２５３・・・２５ｎを代表して信号線２５のように表記することがある。また、本実施形態においては、走査線２４１、２４２、２４３・・・２４ｍを代表して走査線２４ｍ＋１、２４ｍ＋２、２４ｍ＋３のように表記し、信号線２５１、２５２、２５３・・・２５ｎを代表して信号線２５ｎ＋１、２５ｎ＋２、２５ｎ＋３のように表記することもある。表示エリア部２１は、正面に直交する方向から見た場合、走査線２４と信号線２５がカラーフィルタのブラックマトリクス７６ａと重なる領域に配置されている。また、表示エリア２１は、ブラックマトリクス７６ａが配置されていない領域が開口部７６ｂとなる。この点については後述する。
【００２１】
表示パネル２には、外部から外部信号である、マスタークロック、水平同期信号及び垂直同期信号が入力され、ドライバＩＣ３に与えられる。ドライバＩＣ３は、外部電源の電圧振幅のマスタークロック、水平同期信号及び垂直同期信号を、液晶の駆動に必要な内部電源の電圧振幅にレベル変換（昇圧）し、マスタークロック、水平同期信号及び垂直同期信号を生成する。ドライバＩＣ３は、生成したマスタークロック、水平同期信号及び垂直同期信号をそれぞれ第１垂直ドライバ２２Ａ、第２垂直ドライバ２２Ｂ及び水平ドライバ２３に与える。ドライバＩＣ３は、画素Ｖｐｉｘ毎の画素電極に対して各画素共通に与えるコモン電位（対向電極電位）ＶＣＯＭを生成して表示エリア部２１に与える。
【００２２】
第１垂直ドライバ２２Ａ、第２垂直ドライバ２２Ｂは、後述するシフトレジスタを含み、さらにラッチ回路等を含む。第１垂直ドライバ２２Ａ、第２垂直ドライバ２２Ｂは、ラッチ回路が、垂直クロックパルスに同期してドライバＩＣ３から出力される表示データを１水平期間で順次サンプリングしラッチする。第１垂直ドライバ２２Ａ、第２垂直ドライバ２２Ｂは、ラッチ回路においてラッチされた１ライン分のデジタルデータを垂直走査パルスとして順に出力し、表示エリア部２１の走査線２４ｍ＋１、２４ｍ＋２、２４ｍ＋３・・・に与えることによって画素Ｖｐｉｘを行単位で順次選択する。第１垂直ドライバ２２Ａ、第２垂直ドライバ２２Ｂは、走査線２４ｍ＋１、２４ｍ＋２、２４ｍ＋３・・・の延在方向に走査線２４ｍ＋１、２４ｍ＋２、２４ｍ＋３・・・を挟むように配置されている。第１垂直ドライバ２２Ａ、第２垂直ドライバ２２Ｂは、例えば、走査線２４ｍ＋１、２４ｍ＋２、２４ｍ＋３・・・の表示エリア部２１の上寄り、垂直走査上方向から、表示エリア部２１の下寄り、垂直走査下方向へ順にデジタルデータを出力する。また、第１垂直ドライバ２２Ａ、第２垂直ドライバ２２Ｂは、走査線２４ｍ＋１、２４ｍ＋２、２４ｍ＋３・・・の表示エリア部２１の下寄り、垂直走査下方向から、表示エリア部２１の上寄り、垂直走査上方向へ順にデジタルデータを出力することもできる。
【００２３】
水平ドライバ２３には、例えば６ビットのＲ（赤）、Ｇ（緑）、Ｂ（青）のデジタル映像データＶｓｉｇが与えられる。水平ドライバ２３は、第１垂直ドライバ２２Ａ、第２垂直ドライバ２２Ｂによる垂直走査によって選択された行の各画素Ｖｐｉｘに対して、画素ごとに、もしくは複数画素ごとに、あるいは全画素一斉に、信号線２５を介して表示データを書き込む。
【００２４】
（液晶表示パネルの駆動方式）
表示エリア部２１には、図３に示す各画素Ｖｐｉｘの薄膜トランジスタ（ＴＦＴ；Thin Film Transistor）素子Ｔｒに表示データとして画素信号を供給する信号線２５ｎ＋１、２５ｎ＋２、２５ｎ＋３、各ＴＦＴ素子Ｔｒを駆動する走査線２４ｍ＋１、２４ｍ＋２、２４ｍ＋３等の配線が形成されている。このように、信号線２５ｎ＋１、２５ｎ＋２、２５ｎ＋３は、上述したガラス基板１１の表面と平行な平面に延在し、画素Ｖｐｉｘに画像を表示するための画素信号を供給する。画素Ｖｐｉｘは、ＴＦＴ素子Ｔｒ及び液晶素子ＬＣを備えている。ＴＦＴ素子Ｔｒは、薄膜トランジスタにより構成されるものであり、この例では、ｎチャネルのＭＯＳ（Metal Oxide Semiconductor）型のＴＦＴで構成されている。ＴＦＴ素子Ｔｒのソースは信号線２５ｎ＋１、２５ｎ＋２、２５ｎ＋３に接続され、ゲートは走査線２４ｍ＋１、２４ｍ＋２、２４ｍ＋３に接続され、ドレインは液晶素子ＬＣの一端に接続されている。液晶素子ＬＣは、一端がＴＦＴ素子Ｔｒのドレインに接続され、他端が駆動電極Ｖｃｏｍに接続されている。
【００２５】
画素Ｖｐｉｘは、走査線２４ｍ＋１、２４ｍ＋２、２４ｍ＋３により、表示エリア部２１の同じ行に属する他の画素Ｖｐｉｘと互いに接続されている。走査線２４ｍ＋１、２４ｍ＋２、２４ｍ＋３のうち奇数の走査線２４ｍ＋１、２４ｍ＋３は、第１垂直ドライバ２２Ａと接続され、第１垂直ドライバ２２Ａから後述する走査信号の垂直走査パルスＶｇａｔｅが供給される。走査線２４ｍ＋１、２４ｍ＋２、２４ｍ＋３のうち偶数の走査線２４ｍ＋２、２４ｍ＋４は、第２垂直ドライバ２２Ｂと接続され、第２垂直ドライバ２２Ｂから、後述する走査信号の垂直走査パルスＶｇａｔｅが供給される。このように、第１垂直ドライバ２２Ａ、第２垂直ドライバ２２Ｂは、走査方向の走査線２４ｍ＋１、２４ｍ＋２、２４ｍ＋３に交互に垂直走査パルスＶｇａｔｅを印加する。また、画素Ｖｐｉｘは、信号線２５ｎ＋１、２５ｎ＋２、２５ｎ＋３により、表示エリア部２１の同じ列に属する他の画素Ｖｐｉｘと互いに接続されている。信号線２５ｎ＋１、２５ｎ＋２、２５ｎ＋３は、水平ドライバ２３と接続され、水平ドライバ２３より画素信号が供給される。さらに、画素Ｖｐｉｘは、駆動電極Ｖｃｏｍにより、表示エリア部２１の同じ列に属する他の画素Ｖｐｉｘと互いに接続されている。駆動電極Ｖｃｏｍは、不図示の駆動電極ドライバと接続され、駆動電極ドライバより駆動信号が供給される。
【００２６】
図１及び図２に示す第１垂直ドライバ２２Ａ、第２垂直ドライバ２２Ｂは、垂直走査パルスＶｇａｔｅを、図３に示す走査線２４ｍ＋１、２４ｍ＋２、２４ｍ＋３を介して、画素ＶｐｉｘのＴＦＴ素子Ｔｒのゲートに印加することにより、表示エリア部２１にマトリクス状に形成されている画素Ｖｐｉｘのうちの１行（１水平ライン）を表示駆動の対象として順次選択する。図１及び図２に示す水平ドライバ２３は、画素信号を、図３に示す信号線２５ｎ＋１、２５ｎ＋２、２５ｎ＋３を介して、第１垂直ドライバ２２Ａ、第２垂直ドライバ２２Ｂにより順次選択される１水平ラインを含む各画素Ｖｐｉｘにそれぞれ供給する。そして、これらの画素Ｖｐｉｘでは、供給される画素信号に応じて、１水平ラインの表示が行われるようになっている。駆動電極ドライバは、駆動信号を印加し、所定の本数の駆動電極Ｖｃｏｍを含む駆動電極ブロックごとに駆動電極Ｖｃｏｍを駆動する。
【００２７】
上述したように、表示装置１は、第１垂直ドライバ２２Ａ、第２垂直ドライバ２２Ｂが走査線２４ｍ＋１、２４ｍ＋２、２４ｍ＋３を順次走査するように駆動することにより、１水平ラインが順次選択される。また、表示装置１は、１水平ラインに属する画素Ｖｐｉｘに対して、水平ドライバ２３が画素信号を供給することにより、１水平ラインずつ表示が行われる。この表示動作を行う際、駆動電極ドライバは、その１水平ラインに対応する駆動電極Ｖｃｏｍに対して駆動信号を印加するようになっている。
【００２８】
表示装置１は、液晶素子ＬＣに同極性の直流電圧が印加され続けることによって液晶の比抵抗（物質固有の抵抗値）等が劣化する可能性がある。表示装置１は、液晶の比抵抗（物質固有の抵抗値）等の劣化を防ぐため、駆動信号のコモン電位を基準として映像信号の極性を所定の周期で反転させる駆動方式が採られる。
【００２９】
この液晶表示パネルの駆動方式として、ライン反転、ドット反転、フレーム反転などの駆動方式が知られている。ライン反転は、１ライン（１画素行）に相当する１Ｈ（Ｈは水平期間）の時間周期で映像信号の極性を反転させる駆動方式である。ドット反転は、互いに隣接する上下左右の画素毎に映像信号の極性を交互に反転させる駆動方式である。フレーム反転は、１画面に相当する１フレーム毎に全画素に書き込む映像信号を一度に同じ極性で反転させる駆動方式である。表示装置１は、上記の各駆動方式のいずれを採用することも可能である。
【００３０】
次に、表示パネル部２１の構成を詳細に説明する。図４は、本実施形態に係る表示装置の回路パターンの概略構成を示す正面図である。図５は、図４のＡ−Ａ線断面図である。図６は、表示装置の機能の一例を表す説明図である。表示パネル部２１は、図５に示すように、画素基板７０Ａと、この画素基板７０Ａの表面に垂直な方向に対向して配置された対向基板７０Ｂと、画素基板７０Ａと対向基板７０Ｂとの間に挿設された液晶層７０Ｃとを備えている。なお、画素基板７０Ａの液晶層７０Ｃとは反対側の面には、バックライト６が配置されている。
【００３１】
液晶層７０Ｃは、電界の状態に応じてそこを通過する光を変調するものであり、例えば、ＴＮ（Twisted  Nematic：ツイステッドネマティック）、ＶＡ（Vertical  Alignment：垂直配向）、ＥＣＢ（Electrically Controlled Birefringence：電界制御複屈折）等の各種モードの液晶が用いられる。なお、図３に示す液晶層７０Ｃと画素基板７０Ａとの間、及び液晶層７０Ｃと対向基板７０Ｂとの間には、それぞれ配向膜が配設されてもよい。
【００３２】
対向基板７０Ｂは、ガラス基板７５と、このガラス基板７５の一方の面に形成されたカラーフィルタ７６と、を含む。カラーフィルタ７６は、格子形状のブラックマトリクス７６ａと、開口部７６ｂと、を有する。ブラックマトリクス７６ａは、図３及び図４に示すように画素Ｖｐｉｘの外周を覆うように形成されている。つまり、ブラックマトリクス７６ａは、二次元配置された画素Ｖｐｉｘと画素Ｖｐｉｘとの境界に配置されることで、格子形状となる。ブラックマトリクス７６ａは、光の吸収率が高い材料で形成されている。開口部７６ｂは、ブラックマトリクス７６ａの格子形状で形成されている開口であり、画素Ｖｐｉｘに対応して配置されている。開口部７６ｂは、例えば、赤（Ｒ）、緑（Ｇ）、青（Ｂ）の３色に着色された色領域を含む。カラーフィルタ７６は、開口部７６ｂに例えば赤（Ｒ）、緑（Ｇ）、青（Ｂ）の３色に着色されたカラーフィルタ７６の色領域を周期的に配列して、図３に示す各画素ＶｐｉｘにＲ、Ｇ、Ｂの３色の色領域が１組として画素Ｐｉｘとして対応付けられている。カラーフィルタ７６は、ＴＦＴ基板７１と垂直な方向において、液晶層７０Ｃと対向する。なお、カラーフィルタ７６は、異なる色に着色されていれば、他の色の組み合わせであってもよい。一般に、カラーフィルタ７６は、緑（Ｇ）の色領域の輝度が、赤（Ｒ）の色領域及び青（Ｂ）の色領域の輝度よりも高い。
【００３３】
画素基板７０Ａは、回路基板としてのＴＦＴ基板７１と、このＴＦＴ基板７１上にマトリクス状に配設された複数の画素電極７２と、ＴＦＴ基板７１及び画素電極７２の間に形成された駆動電極ＣＯＭＬと、画素電極７２と駆動電極ＣＯＭＬとを絶縁する絶縁層７４と、を含む。駆動電極ＣＯＭＬは、ＩＴＯ（Indium  Tin  Oxide）等の透明導電材料（透明導電酸化物）で形成される透明電極である。
【００３４】
ＴＦＴ基板７１には、上述した各画素Ｖｐｉｘの薄膜トランジスタ素子９２、各画素電極７２に画素信号を供給する信号線２５、ＴＦＴ素子Ｔｒを駆動する走査線２４等の配線が積層して形成されている。なお、薄膜トランジスタ素子９２と信号線２５と走査線２４とは、配線が接触する部分（コンタクトホール）を除いて、間に絶縁層が形成されている。つまり、薄膜トランジスタ素子９２と信号線２５と走査線２４とは、異なる層に形成されている。信号線２５は、ＴＦＴ基板７１の表面と平行な平面に延在し、画素に画像を表示するための画素信号を供給する。薄膜トランジスタ素子９２は、一部が信号線２５と接し、他の一部が信号線２５と同一の層に形成された配線９０と接している。また、薄膜トランジスタ素子９２は、配線９０を介して画素電極７２と接続されている。なお、配線９０は、信号線２５と信号線２５の間の、ブラックマトリクス７６ａと走査線２４とが重なる領域に配置されている。
【００３５】
ここで、上述したように、表示エリア部２１は、正面に直交する方向から見た場合、走査線２４と信号線２５とがカラーフィルタ７６のブラックマトリクス７６ａと重なる領域に配置されている。また、走査線２４と信号線２５とは、線上の配線であり、互いに略直交する向きで配置されている。本実施形態では、図４に示すように、ブラックマトリクス７６ａの走査線２４に沿った方向（第１の方向）に延在する部分を第１の線分Ａ１とし、ブラックマトリクス７６ａの信号線２５に沿った方向（第２の方向）に延在する部分を第２の線分Ａ２とする。第１の線分Ａ１は、第２の線分Ａ２と重なる部分について、第１の線分Ａ１の辺と第２の線分Ａ２の辺とが重なる点を結ぶことで、１つの閉じられた領域とする。同様に、第２の線分Ａ２は、第１の線分Ａ１と重なる部分について、第１の線分Ａ１の辺と第２の線分Ａ２の辺とが重なる点を結ぶことで、１つの閉じられた領域とする。
【００３６】
次に、本実施形態のＴＦＴ基板７１には、基板（ベースとなる板状の部材）の表面に反射層８０が形成されている。より具体的には、反射層８０は、ＴＦＴ基板７１の基板の表面と走査線２４が配置されている層との間に配置されている。つまり、反射層８０は、ＴＦＴ基板７１の表面側でかつ最もバックライト６に近い側に配置されている。反射層８０は、他の層から独立した層でありフローティング状態で配置されている。また、反射層８０は、銀（Ａｇ）、アルミニウム（Ａｌ）、アルミニウム合金（Ａｌ合金）等の高反射特性を有する膜で形成されている。本実施形態の反射層８０は、走査線２４を形成する金属膜、信号線２５を形成する金属膜よりも反射率の高い金属膜で形成されている。
【００３７】
反射層８０は、図４に示すように、ブラックマトリクス７６ａが配置されている領域の略全域に配置されている。つまり、反射層８０は、ブラックマトリクス７６ａと同様に格子形状で配置されている。したがって、反射層８０は、第１の線分Ａ１と重なる領域と、第２の線分Ａ２に重なる領域と、の両方に配置されている。反射層８０は、第２の線分Ａ２の延在方向（第２の方向）において、第１の線分Ａ１と交差する部分に、空間が形成されている。反射層８０は、第２の線分Ａ２の延在方向（第２の方向）において、第１の線分Ａ１と交差する部分で分断されている。
【００３８】
表示パネル部２１は、ＴＦＴ基板７１からブラックマトリクス７６ａまでの間に配置された金属層のうち、第１の線分Ａ１と重なる領域において面積が最も大きい金属膜が反射層８０となり、第２の線分Ａ２と重なる領域において面積が最も大きい金属膜が反射層８０となる。つまり、反射層８０は、第１の方向においてブラックマトリクス７６ａと重なる領域である第１の線分Ａ１と重なる領域と、第２の方向においてブラックマトリクス７６ａと重なる領域である第２の線分Ａ２と重なる領域と、の両方において、面積が最も大きい金属層となる。金属層とは、光を反射する材料で配線等の膜が形成されている層であり、本実施形態では、走査線２４が形成されている層、信号線２５及び配線９０が形成されている層及び反射層８０が含まれる。駆動電極ＣＯＭＬは、透明電極で形成されているので、本実施形態の金属層には含まれない。また、層の面積は、当該層に形成されている金属の面積であり、走査線２４の面積、信号線２５及び配線９０の面積、反射層８０の面積と、が比較の対象となる。
【００３９】
表示装置１は、第１の線分Ａ１と重なる領域と第２の線分Ａ２と重なる領域の両方で面積が最も大きい反射層８０を設けることで、図６に示すように、バックライト６からブラックマトリクス７６ａに向けて入射する光のうち、大部分の光Ｌ１を反射層８０で反射させて光Ｌ２とすることができる。反射層８０で反射された光Ｌ２は、バックライト６等、反射層８０よりもバックライト６側にある各部で反射されることで、カラーフィルタ７６に向かう光Ｌ３とすることができる。ここで、光Ｌ３は、反射されることで、光路が変化し、開口部７６ｂに入射する光となる。これにより、光Ｌ３は、開口部７６ｂを通過し、表示パネル部２１から外の領域に出射される。また、バックライト６からブラックマトリクス７６ａに向けて入射する光のうち、一部の光Ｌ４は、反射層８０で吸収される。
【００４０】
このように、表示装置１は、反射層８０を設けることで、ブラックマトリクス７６ａの重なる領域に入射した光を反射層８０で反射させることができ、ブラックマトリクス７６ａで光が吸収されることを抑制することができる。このように、ブラックマトリクス７６ａで光が吸収されることを抑制できることで、バックライト６から入射した光を高い効率で利用することができる。また、高精細化のためにブラックマトリクス７６の範囲が大きくなり、開口率が低くなっても、ブラックマトリクス７６ａで光が吸収されることを抑制し、開口部７６ｂからより多くの光を出射できる。これにより、高精細化しても、光を効率よく利用することができ、より明るい画像を表示させることが可能となる。
【００４１】
また、表示装置１は、本実施形態のように、第１の線分Ａ１と重なる領域と第２の線分Ａ２と重なる領域の略全域に反射層８０を設けることで、ブラックマトリクス７６ａで光が吸収されることをより確実に抑制することができ、効率をより高くすることができる。ここで、第１の線分Ａ１と重なる領域と第２の線分Ａ２と重なる領域の略全域とは、製造時の誤差等で、反射層８０が第１の線分Ａ１と重なる領域と第２の線分Ａ２と重なる領域から露出しない分の隙間を設けた範囲である。なお、表示装置１は、各金属層が第１の線分Ａ１と重なる領域と第２の線分Ａ２と重なる領域に対して、製造時の誤差で金属が露出しないように隙間を設けた範囲に配置されている。
【００４２】
また、表示装置１は、走査線２４を形成する金属膜、信号線２５を形成する金属膜よりも反射率の高い金属膜で反射層８０を形成することで、光Ｌ１をより高い割合で反射することがきる。また、表示装置１は、反射層８０を銀（Ａｇ）、アルミニウム（Ａｌ）、アルミニウム合金（Ａｌ合金）等の高反射特性を有する膜で形成することで、光Ｌ１をより高い割合で反射することができる。
【００４３】
また本実施形態では、反射層を１つの膜で形成したが、別々の層に形成された膜の集合体を反射層として用いてもよい。
【００４４】
また、表示装置１は、反射層８０を分断することで、信号線、走査線間の寄生容量を低減することができる。具体的には、第１の線分Ａ１と第２の線分Ａ２とが重なる位置の境界で反射層８０を分断することで、信号線、走査線と反射層８０との間の寄生容量を低減することができる。また、信号線、走査線とは別の金属層である反射層８０を設けることで、トランジスタ素子の遮光もでき、リークに起因する不良、例えばフリッカ、クロストーク、スジ・ムラを改善することができる。なお反射層８０は、分断した金属膜と金属膜との差を電気的に分離した状態を維持できる範囲の最小幅とすることが好ましい。これにより、反射層８０をより広い範囲に配置することができる。
【００４５】
また、表示装置１は、反射層８０をＴＦＴ基板７１のベース基板（透明基板）の表面に設けることで、反射層８０を金属層のうちバックライト６に最も近い金属層とすることができる。これにより、反射層８０で効率よく光を反射させることができる。特に、上述したように反射層８０を反射率が最も高い金属膜とした場合、この効果をより好適に得ることができる。このため、反射層８０は、金属層のうち、バックライト６に最も近い金属層とすることが好ましいが、これに限定されない。
【００４６】
図７は、表示装置の回路パターンの変形例を示す断面図である。図７に示す表示パネル部２１Ａは、反射層８０ａの位置を除いて、他の構成は、表示パネル部２１と同様である。以下、表示パネル部２１Ａに特有の点を説明する。表示パネル部２１Ａは、反射層８０ａが駆動電極ＣＯＭＬと接して配置されている。なお、表示パネル部２１Ａの表面に直交する方向から見た場合に反射層８０ａが配置されている領域は、反射層８０と同様である。反射層８０ａは、駆動電極ＣＯＭＬの補助メタル配線層になる。このように、電極の一部として用いる反射層８０ａを上述したように、表示パネル部２１の表面に直交する方向から見た場合に反射層８０と同様の領域に配置することでも上記と同様の効果を得ることができる。なお、反射層８０ａは、走査線２４及び信号線２５よりもカラーフィルタ７６側に配置されているため、バックライト６から入射した光の一部は、走査線２４及び信号線２５で反射される。そのため、反射層８０ａの反射率と走査線２４及び信号線２５の反射率との関係によっては表示パネル部２１よりも効率が低下する場合がある。
【００４７】
図８は、表示装置の回路パターンの変形例を示す断面図である。図８に示す表示パネル部２１Ｃは、反射層８０ｂの位置を除いて、他の構成は、表示パネル部２１と同様である。以下、表示パネル部２１Ｃに特有の点を説明する。表示パネル部２１Ｃは、反射層８０ｂがカラーフィルタ７６のブラックマトリクス７６ａのＴＦＴ基板７１側の面と接して配置されている。なお、表示パネル部２１Ｃの表面に直交する方向から見た場合に反射層８０ｂが配置されている領域は、反射層８０と同様である。このように、ブラックマトリクス７６に接して配置した反射層８０ｂを上述したように、表示パネル部２１の表面に直交する方向から見た場合に反射層８０と同様の領域に配置することでも上記と同様の効果を得ることができる。また、表示パネル部２１Ｃは、ブラックマトリクス７６ａに接して反射層８０ｂを設けることで、ブラックマトリクス７６ａと反射層８０ｂとの位置ずれの発生を抑制することができる。これにより、ブラックマトリクス７６ａと反射層８０ｂが隣接することで、ブラックマトリクス７６ａの範囲から反射層８０ｂの範囲までの隙間をより小さくすることができ、反射層８０ｂの配置面積をより大きくすることができる。
【００４８】
ここで、上記実施形態の表示装置は、第１の線分Ａ１と重なる領域と第２の線分Ａ２と重なる領域の両方で面積が最も大きい金属層を、走査線２４が形成されている層、信号線２５及び配線９０が形成されている層とは別の金属膜の層とすることで、上記効果を好適に得ることができるが本発明はこれに限定されない。走査線２４が形成されている層、信号線２５及び配線９０が形成されている層を、第１の線分Ａ１と重なる領域と第２の線分Ａ２と重なる領域の両方で面積が最も大きい金属層としてもよい。
【００４９】
図９は、表示装置の回路パターンの変形例の概略構成を示す正面図である。図９に示す表示パネル部２１Ｄは、第１の線分Ａ１と重なる領域と第２の線分Ａ２と重なる領域の両方で面積が最も大きい金属層を、走査線２４が形成されている層とした点を除いて、他の構成は、表示パネル部２１と同様である。以下、表示パネル部２１Ｄに特有の点を説明する。表示パネル部２１Ｄは、走査線２４が形成されている層に、金属膜１０２を設けている。金属膜１０２は、第２の線分Ａ２と重なる領域、つまり、信号線２５が配置されている領域に配置されている。金属膜１０２は、第２の線分Ａ２と重なる領域において、信号線２５よりも広い面積で配置されている。また、金属膜１０２は、第１の線分Ａ１と重なる領域にも配置されている。つまり表示パネル部２１Ｄでは、走査線２４を配していない領域に金属膜１０２を配置している。これにより、第１の線分Ａ１と重なる領域において、走査線２４が形成されている層の金属膜が配置されている領域をより広くすることができる。なお、金属膜１０２は、走査線２４と走査線２４を分離した状態を維持する範囲で配置している。
【００５０】
表示パネル部２１Ｄは、以上のように、第１の線分Ａ１と重なる領域と第２の線分Ａ２と重なる領域の両方で面積が最も大きい金属層を、走査線２４が形成されている層としても、上記実施形態と同様の効果を得ることができる。また、表示パネル部２１Ｄで形成する必要がある走査線２４の形成時に金属膜１０２を形成できるため、製造プロセスの増加を抑制することができる。なお、面積が最も大きい金属層として走査線２４が形成されている層を用いる場合、走査線２４の機能を維持するため、金属膜１０２の配置に一定の制約が生じる。
【００５１】
図１０は、表示装置の回路パターンの変形例の概略構成を示す正面図である。図１０に示す表示パネル部２１Ｅは、第１の線分Ａ１と重なる領域と第２の線分Ａ２と重なる領域の両方で面積が最も大きい金属層を、信号線２５が形成されている層とした点を除いて、他の構成は、表示パネル部２１と同様である。以下、表示パネル部２１Ｅに特有の点を説明する。表示パネル部２１Ｅは、信号線２５が形成されている層に、金属膜１１２を設けている。金属膜１１２は、第１の線分Ａ１と重なる領域、つまり、走査線２４が配置されている領域に配置されている。金属膜１１２は、第１の線分Ａ１と重なる領域において、走査線２４よりも広い面積で配置されている。また、金属膜１１２は、第２の線分Ａ２と重なる領域にも配置されている。つまり表示パネル部２１Ｄでは、信号線２５を配していない領域に金属膜１１２を配置している。これにより、第２の線分Ａ２と重なる領域において、信号線２５が形成されている層の金属膜が配置されている領域をより広くすることができる。なお、金属膜１１２は、信号線２５と信号線２５を分離した状態を維持する範囲で配置している。
【００５２】
表示パネル部２１Ｅは、以上のように、第１の線分Ａ１と重なる領域と第２の線分Ａ２と重なる領域の両方で面積が最も大きい金属層を、信号線２５が形成されている層としても、上記実施形態と同様の効果を得ることができる。また、表示パネル部２１Ｅで形成する必要がある信号線２５の形成時に金属膜１１２を形成できるため、製造プロセスの増加を抑制することができる。なお、面積が最も大きい金属層として信号線２５が形成されている層を用いる場合、信号線２５の機能を維持するため、金属膜１１２の配置に一定の制約が生じる。
【００５３】
また、上記実施形態では、ブラックマトリクス７６ａを互いに直交する２方向の線が交差して形成された格子形状としたが。これに限定されない。ブラックマトリクスは、表示パネル部の表面に直交する方向から見た場合、曲線や、位置によって幅が変化する形状で格子が形成されていてもよい。つまり、第１の線分と、第２の線分が曲線であったり、位置によって幅が変化する形状であったりしてもよい。いずれの場合でも、第１の線分と、第２の線分が重なる部分は、重なる部分における第１の線分の辺と第２の線分の辺との交点を結べばよい。なお、今場合２つの点を直線で結べばよい。
【００５４】
図１１及び図１２は、それぞれ表示装置のカラーフィルタの変形例の概略構成を示す正面図である。図１１に示すカラーフィルタ１７６は、ブラックマトリクス１７６ａの第１の線分Ａ１が、位置によって太さの変化する形状となる。また、カラーフィルタ１７６は、ブラックマトリクス１７６ａの第２の線分Ａ２が、開口部１７６ｂ（各色のフィルタの開口部１７８Ｒ、１７８Ｇ、１７８Ｂ）の中段で折れ曲がった曲線形状となる。図１２に示すカラーフィルタ１８６は、ブラックマトリクス１８６ａの第１の線分Ａ１が、位置によって太さの変化する形状となる。また、カラーフィルタ１８６は、ブラックマトリクス１８６ａの第２の線分Ａ２が、開口部１７６ｂが切り替わる毎、つまり第１の線分Ａ１を通過する毎に向きが変わる形状となる。
【００５５】
表示装置は、図１１に示すカラーフィルタ１７６や、図１２に示すカラーフィルタ１８６を用いた場合でも、ブラックマトリクスの第１の線分と重なる領域において最も面積が大きい金属膜と、第２の線分と重なる領域において最も面積が大きい金属膜とを同一の金属層とすることで、上述した各種効果を得ることができる。また、第１の線分と重なる領域において最も面積が大きく、第２の線分と重なる領域において最も面積が大きい金属層を上述した好適な形状とすることで、各種効果を得ることができる。
【００５６】
また、上記実施形態の表示装置は、いずれも表示パネル部のカラーフィルタに格子状のブラックマトリクスが形成され、当該ブラックマトリクスが画素に対応する開口部をマトリクス状に分割する構成としたがこれに限定されない。表示装置は、画素に対応する開口部をマトリクス状に分割する格子状の非開口部が設けられていればよい。非開口部は、開口部の境界となる領域であり、光を透過しないまたは光の透過率が低い材料で形成されている。具体的には、配線等となる金属層またはブラックマトリクスが非開口部となる。非開口部は、光を透過しないことが好ましい。表示装置は、非開口部が、第１の方向に伸びた複数の第１の線分と、前記第１の方向と交差する第２の方向に伸びた複数の第２の線分とが交差し、格子状に配置され、非開口部に配置された複数の金属層のうち、第１の線分と重なる領域において最も面積が大きい金属層と第２の線分と重なる領域において最も面積が大きい金属層とを同一とすることで、上記効果を得ることができる。
【００５７】
＜２．適用例＞
次に、図１３〜図２４を参照して、実施形態で説明した表示装置１の適用例について説明する。図１３〜図２４は、本実施形態に係る表示装置を適用する電子機器の一例を示す図である。本実施形態に係る表示装置１は、テレビジョン装置、デジタルカメラ、ノート型パーソナルコンピュータ、携帯電話等の携帯端末装置あるいはビデオカメラなどのあらゆる分野の電子機器に適用することが可能である。言い換えると、本実施形態に係る表示装置１は、外部から入力された映像信号あるいは内部で生成した映像信号を、画像あるいは映像として表示するあらゆる分野の電子機器に適用することが可能である。電子機器は、表示装置に映像信号を供給し、表示装置の動作を制御する制御装置を備える。
【００５８】
（適用例１）
図１３に示す電子機器は、本実施形態に係る表示装置１が適用されるテレビジョン装置である。このテレビジョン装置は、例えば、フロントパネル５１１及びフィルターガラス５１２を含む映像表示画面部５１０を有しており、この映像表示画面部５１０は、本実施形態に係る表示装置である。
【００５９】
（適用例２）
図１４及び図１５に示す電子機器は、本実施形態に係る表示装置１が適用されるデジタルカメラである。このデジタルカメラは、例えば、フラッシュ用の発光部５２１、表示部５２２、メニュースイッチ５２３及びシャッターボタン５２４を有しており、その表示部５２２は、本実施形態に係る表示装置である。
【００６０】
（適用例３）
図１６に示す電子機器は、本実施形態に係る表示装置１が適用されるビデオカメラの外観を表すものである。このビデオカメラは、例えば、本体部５３１、この本体部５３１の前方側面に設けられた被写体撮影用のレンズ５３２、撮影時のスタート／ストップスイッチ５３３及び表示部５３４を有している。そして、表示部５３４は、本実施形態に係る表示装置である。
【００６１】
（適用例４）
図１７に示す電子機器は、本実施形態に係る表示装置１が適用されるノート型パーソナルコンピュータである。このノート型パーソナルコンピュータは、例えば、本体５４１、文字等の入力操作のためのキーボード５４２及び画像を表示する表示部５４３を有しており、表示部５４３は、本実施形態に係る表示装置により構成である。
【００６２】
（適用例５）
図１８〜図２４に示す電子機器は、本実施形態に係る表示装置１が適用される携帯電話機である。この携帯電話機は、例えば、上側筐体５５１と下側筐体５５２とを連結部（ヒンジ部）５５３で連結したものであり、ディスプレイ５５４、サブディスプレイ５５５、ピクチャーライト５５６及びカメラ５５７を有している。そのディスプレイ５５４またはサブディスプレイ５５５は、本実施形態に係る表示装置により構成されている。
【００６３】
また、本開示は、以下の構成をとることもできる。
（１）
光を通過させる開口部が、第１の方向に伸びた複数の第１の線分と、前記第１の方向と交差する第２の方向に伸びた複数の第２の線分とが交差し、格子状に配置された非開口部によって分割され、前記非開口部によってマトリックス状に分割された開口部がマトリクス状に配置された画素となる表示エリア部と、走査線に垂直走査パルスを印加して前記表示エリア部の各画素を行単位で選択する垂直駆動回路と、前記垂直駆動回路によって選択された行の各画素に対して画像信号を供給する水平駆動回路と、を含み、
前記表示エリア部は、前記画素の開口部に対応して色フィルタが配置されたカラーフィルタと、
前記カラーフィルタに積層され、前記表示エリア部の表面から見た場合、前記非開口部に重なる位置に金属膜が配置された複数の金属層と、を有し、
前記複数の金属層は、前記複数の金属層の中で、前記第１の線分と重なる領域において最も面積が大きい金属膜と、前記第２の線分と重なる領域において最も面積が大きい金属膜とが同一であり、
前記第１の線分と重なる領域において最も面積が大きく、前記第２の線分と重なる領域において最も面積が大きい金属膜が、前記複数の金属層の中で最も反射率が高い金属膜で形成されている表示装置。
（２）
前記カラーフィルタは、格子状に配置されたブラックマトリクスを備え、
前記ブラックマトリクスが配置されている領域が前記非開口部となる（１）に記載の表示装置。
（３）
前記複数の金属層は、前記垂直駆動回路と接続され、第１の線分に沿って配置される第１配線を含む第１配線層と、前記水平直駆動回路と接続され、第２の線分に沿って配置される第２配線を含む第２配線層と、を含む（１）または（２）に記載の表示装置。
（４）
前記複数の金属層は、前記第１配線層及び前記第２配線層とは異なる層である反射層を含み、
前記反射層は、前記複数の金属層の中で、前記第１の線分と重なる領域において最も面積が大きく、前記第２の線分と重なる領域において最も面積が大きい（３）に記載の表示装置。
（５）
光が入射される側の端部に配置された透明基板をさらに有し、
前記反射層は、前記透明基板の前記カラーフィルタ側の面と接している（４）に記載の表示装置。
（６）
透明電極で形成された共通電極をさらに有し、
前記反射層は、前記共通電極と接している（４）に記載の表示装置。
（７）
前記反射層は、前記カラーフィルタと接している（４）に記載の表示装置。
（８）
前記反射層は、前記第１の線分と前記第２の線分との交点に隙間が形成されている（４）から（７）のいずれか一つに記載の表示装置。
（９）
（１）から（８）のいずれか一つに記載の表示装置と、
前記表示装置に前記入力信号を供給する制御装置と、を有する電子機器。
【符号の説明】
【００６４】
１  表示装置
２  表示パネル
６  バックライト
１１  ガラス基板
１１ｇｒ、１１ｇｌ  額縁
２１  表示エリア部
２２Ａ  第１垂直ドライバ
２２Ｂ  第２垂直ドライバ
２４  走査線
２５  信号線
７１  ＴＦＴ基板
７２  画素電極
７５  ガラス基板
７６  カラーフィルタ
７６ａ  ブラックマトリクス
７６ｂ  開口部
８０、８０ａ、８０ｂ  反射層
９０  配線
９２  薄膜トランジスタ素子
Ａ１  第１の線分
Ａ２  第２の線分
Ｌ１、Ｌ２、Ｌ３、Ｌ４  光
ＬＣ  液晶素子
Ｔｒ  ＴＦＴ素子
Ｖｃｏｍ  駆動電極
Ｖｐｉｘ  画素
【図１】
2014106428.tif 000003
【図２】
2014106428.tif 000004
【図３】
2014106428.tif 000005
【図４】
2014106428.tif 000006
【図５】
2014106428.tif 000007
【図６】
2014106428.tif 000008
【図７】
2014106428.tif 000009
【図８】
2014106428.tif 000010
【図９】
2014106428.tif 000011
【図１０】
2014106428.tif 000012
【図１１】
2014106428.tif 000013
【図１２】
2014106428.tif 000014
【図１３】
2014106428.tif 000015
【図１４】
2014106428.tif 000016
【図１５】
2014106428.tif 000017
【図１６】
2014106428.tif 000018
【図１７】
2014106428.tif 000019
【図１８】
2014106428.tif 000020
【図１９】
2014106428.tif 000021
【図２０】
2014106428.tif 000022
【図２１】
2014106428.tif 000023
【図２２】
2014106428.tif 000024
【図２３】
2014106428.tif 000025
【図２４】
2014106428.tif 000026